(57)【要約】【課題】分割された分割有価価値を円滑かつ効率的に返却することができる遊技システム及び分割有価価値返却処理方法を提供することを課題とする。【解決手段】分割先カードが所在する台間カード処理機１０で分割玉数の全部又は一部を返却する持玉返却操作がなされた場合に、カード管理装置４０で管理するカード情報４０ｅ内の分割先カードのカードＩＤに対応する持玉数から返却玉数を減算処理するとともに、分割元カードのカードＩＤを特定して該分割元カードのカードＩＤに対応する持玉数に返却玉数を加算処理し、更新後の持玉数を分割元カードが所在する台間カード処理機１０に通知して持玉数を更新する。【選択図】図１
2012095866.tif 000002
【特許請求の範囲】
【請求項１】
分割元記録媒体に対応付けられた有価価値の一部をなす分割有価価値を該有価価値から分割処理して分割先記録媒体に対応付け、前記分割元記録媒体並びに分割先記録媒体を用いた複数の遊技客による有価価値の共有を可能にする遊技システムであって、
遊技店内に配設される端末装置は、
前記分割先記録媒体に対応付けられた有価価値のうち前記分割元記録媒体への返却対象となる前記分割有価価値の一部をなす返却有価価値を指定した返却操作を受け付ける返却操作受付手段を備え、
複数の記録媒体に対応付けられた有価価値を管理する管理装置は、
前記分割先記録媒体を一意に識別する識別情報、前記分割有価価値並びに前記分割先記録媒体を一意に識別する識別情報を対応付けた分割情報を記憶する分割情報記憶手段と、
前記返却操作受付手段により返却操作を受け付けた場合に、前記分割情報記憶手段に記憶した分割情報に基づいて前記返却有価価値の返却対象となる分割元記録媒体の識別情報を特定し、前記分割先記録媒体の識別情報に対応付けられた有価価値から前記返却有価価値を減算処理するとともに、前記分割元記録媒体の識別情報に対応付けられた有価価値に前記返却有価価値を加算処理して、該返却有価価値の返却制御を行う返却制御手段とを備えた
ことを特徴とする遊技システム。
【請求項２】
前記端末装置は、
前記分割先記録媒体を受け入れた状態で前記返却操作受付手段により返却操作を受け付ける場合に、前記管理装置から該分割先記録媒体の識別情報に対応する分割有価価値を取得する分割有価価値取得手段と、
前記分割有価価値取得手段により取得された分割有価価値を所定の表示部に表示制御する表示制御手段と
を備えたことを特徴とする請求項１に記載の遊技システム。
【請求項３】
前記管理装置は、
前記返却制御手段により前記分割元記録媒体の識別情報に対応付けられた有価価値に前記返却有価価値が加算処理された場合に、前記分割元記録媒体が所在する端末装置を検索する検索手段と、
前記検索手段により検索された端末装置に対して加算処理後の有価価値を通知する有価価値通知手段とをさらに備え、
前記分割元記録媒体が所在する端末装置は、
前記管理装置から加算処理後の有価価値の通知を受け付けた場合に、前記分割元記録媒体に対応付けた有価価値を更新する有価価値更新手段を備えた
ことを特徴とする請求項１又は２に記載の遊技システム。
【請求項４】
前記分割元記録媒体が所在する端末装置は、
前記管理装置から加算処理後の有価価値の通知を受け付けた場合に、前記返却有価価値が返却された旨を所定の表示部に表示制御する表示制御手段をさらに備えた
ことを特徴とする請求項３に記載の遊技システム。
【請求項５】
前記管理装置は、
前記返却操作受付手段により返却操作を受け付けた場合に、前記分割元記録媒体を所有する遊技客が遊技を終了したか否かを判定する判定手段をさらに備え、
前記返却制御手段は、
前記判定手段により前記分割元記録媒体を所有する遊技客が遊技を終了したと判定された場合に、前記分割元記録媒体に対応付けて遊技店に預け入れられた貯有価価値に前記返却有価価値を加算処理する
ことを特徴とする請求項１〜４のいずれか一つに記載の遊技システム。
【請求項６】
前記判定手段は、所定の精算機による前記分割元記録媒体の精算処理又は所定の景品交換装置による前記分割元記録媒体の景品交換処理がなされた場合に、該分割元記録媒体を所有する遊技客が遊技を終了したと判定することを特徴とする請求項５に記載の遊技システム。
【請求項７】
分割元記録媒体に対応付けられた有価価値の一部をなす分割有価価値を該有価価値から分割処理して分割先記録媒体に対応付け、前記分割元記録媒体並びに分割先記録媒体を用いた複数の遊技客による有価価値の共有を可能にする遊技システムの分割有価価値返却処理方法であって、
前記分割先記録媒体に対応付けられた有価価値のうち前記分割元記録媒体への返却対象となる前記分割有価価値の一部をなす返却有価価値を指定した返却操作を受け付ける返却操作受付工程と、
前記返却操作受付工程により返却操作を受け付けた場合に、前記分割先記録媒体を一意に識別する識別情報、前記分割有価価値並びに前記分割先記録媒体を一意に識別する識別情報を対応付けた分割情報に基づいて前記返却有価価値の返却対象となる分割元記録媒体の識別情報を特定し、前記分割先記録媒体の識別情報に対応付けられた有価価値から前記返却有価価値を減算処理するとともに、前記分割元記録媒体の識別情報に対応付けられた有価価値に前記返却有価価値を加算処理して、該返却有価価値の返却制御を行う返却制御工程と
を含んだことを特徴とする分割有価価値返却処理方法。
【発明の詳細な説明】
【技術分野】
【０００１】
この発明は、分割元記録媒体に対応付けられた有価価値の一部をなす分割有価価値を該有価価値から分割処理して分割先記録媒体に対応付け、分割元記録媒体並びに分割先記録媒体を用いた複数の遊技客による有価価値の共有を可能にする遊技システム及び分割有価価値返却処理方法に関し、特に、分割された分割有価価値を円滑かつ効率的に返却することができる遊技システム及び分割有価価値返却処理方法に関する。
【背景技術】
【０００２】
従来、パチンコ店などの遊技店には、パチンコ玉等の遊技媒体を貸し出す台間カード処理機が遊技機に併設される事が多い。遊技客は、この台間カード処理機に現金を投入することで、遊技媒体の貸し出しを受けることができるとともに、この台間カード処理機で貯遊技媒体の引出操作を行うことで、再プレイを行うことができる。
【０００３】
最近では、かかる台間カード処理機に対して遊技媒体数を計数する計数部を設け、この台間カード処理機の計数部で計数した遊技媒体数を持玉数としてカードＩＤに対応づけて台間カード処理機並びにカード管理装置で管理するとともに、遊技客が台間カード処理機で持玉払出操作を行うことで、かかる持玉数を所定数ずつ払い出す各台計数機付き台間カード処理機が普及しつつある（例えば、特許文献１参照）。
【０００４】
この種の各台計数機付き台間カード処理機を用いる際に、一人の遊技客が獲得した持玉数を複数人で共有する技術が知られている。例えば、特許文献２には、所定の分割発行操作が行われると、分割元カードに対応づけられた持玉数の一部を分割した分割先カードを発行することで、一人の遊技客が獲得した持玉数を複数人で共有する技術が開示されている。
【０００５】
また、この特許文献２には、遊技店において共有遊技が禁止されている場合に、分割先カードを所持する遊技客が分割された持玉数全てを分割元カードに返却する点が記載されている。このため、この特許文献２を用いると、一人の遊技客が獲得した持玉数を分割するだけではなく、共有遊技が禁止されている場合に分割された持玉数を返却することができる。
【先行技術文献】
【特許文献】
【０００６】
【特許文献１】特開２００７−２２９１１１号公報
【特許文献２】特開２０１０−１１９７５６号公報
【発明の概要】
【発明が解決しようとする課題】
【０００７】
しかしながら、上記特許文献２のものは、あくまでも遊技店での共有遊技が禁止されている場合を前提としてなされたものであるため、分割された全ての持玉数を一括返却することしかできず、遊技客間の持玉数の返却を円滑に行うことができない。
【０００８】
この点を具体的に説明すると、かかる持玉数は金銭と同様に景品交換可能な有価価値であるため、持玉共有を許可されている遊技店で遊技する場合であっても、持玉数を借りた遊技客は貸し主に対して持玉数を返却するのが通常である。特に、持玉数を借りた遊技客は、自身が現在保有する持玉数を考慮して、借りた持玉数の全部又は一部を返却することが望まれる。例えば、遊技を通じて持玉数が大幅に増加した場合には借りた持玉数の全てを一括返却し、持玉数がやや増加した場合には借りた持玉数の一部を返却することが望まれる。
【０００９】
以上のことから、一人の遊技客が獲得した持玉数を分割して持玉共有を行う場合に、いかにして持玉数を円滑かつ効率的に返却可能にするかが重要な課題となっている。かかる課題は、持玉数を共有する場合のみならず、貸玉、貯玉、プリペイド価値等の他の有価価値を共有する場合にも同様に生ずる課題である。
【００１０】
本発明は、上述した従来技術による問題点を解消するためになされたものであって、持玉、貸玉、貯玉、プリペイド価値等の有価価値を複数人で共有する場合に、分割された分割有価価値を円滑かつ効率的に返却することができる遊技システム及び分割有価価値返却処理方法を提供することを目的とする。
【課題を解決するための手段】
【００１１】
上述した課題を解決し、目的を達成するため、本発明は、分割元記録媒体に対応付けられた有価価値の一部をなす分割有価価値を該有価価値から分割処理して分割先記録媒体に対応付け、前記分割元記録媒体並びに分割先記録媒体を用いた複数の遊技客による有価価値の共有を可能にする遊技システムであって、遊技店内に配設される端末装置は、前記分割先記録媒体に対応付けられた有価価値のうち前記分割元記録媒体への返却対象となる前記分割有価価値の一部をなす返却有価価値を指定した返却操作を受け付ける返却操作受付手段を備え、複数の記録媒体に対応付けられた有価価値を管理する管理装置は、前記分割先記録媒体を一意に識別する識別情報、前記分割有価価値並びに前記分割先記録媒体を一意に識別する識別情報を対応付けた分割情報を記憶する分割情報記憶手段と、前記返却操作受付手段により返却操作を受け付けた場合に、前記分割情報記憶手段に記憶した分割情報に基づいて前記返却有価価値の返却対象となる分割元記録媒体の識別情報を特定し、前記分割先記録媒体の識別情報に対応付けられた有価価値から前記返却有価価値を減算処理するとともに、前記分割元記録媒体の識別情報に対応付けられた有価価値に前記返却有価価値を加算処理して、該返却有価価値の返却制御を行う返却制御手段とを備えたことを特徴とする。
【００１２】
また、本発明は、上記の発明において、前記端末装置は、前記分割先記録媒体を受け入れた状態で前記返却操作受付手段により返却操作を受け付ける場合に、前記管理装置から該分割先記録媒体の識別情報に対応する分割有価価値を取得する分割有価価値取得手段と、前記分割有価価値取得手段により取得された分割有価価値を所定の表示部に表示制御する表示制御手段とを備えたことを特徴とする。
【００１３】
また、本発明は、上記の発明において、前記管理装置は、前記返却制御手段により前記分割元記録媒体の識別情報に対応付けられた有価価値に前記返却有価価値が加算処理された場合に、前記分割元記録媒体が所在する端末装置を検索する検索手段と、前記検索手段により検索された端末装置に対して加算処理後の有価価値を通知する有価価値通知手段とをさらに備え、前記分割元記録媒体が所在する端末装置は、前記管理装置から加算処理後の有価価値の通知を受け付けた場合に、前記分割元記録媒体に対応付けた有価価値を更新する有価価値更新手段を備えたことを特徴とする。
【００１４】
また、本発明は、上記の発明において、前記分割元記録媒体が所在する端末装置は、前記管理装置から加算処理後の有価価値の通知を受け付けた場合に、前記返却有価価値が返却された旨を所定の表示部に表示制御する表示制御手段をさらに備えたことを特徴とする。
【００１５】
また、本発明は、上記の発明において、前記管理装置は、前記返却操作受付手段により返却操作を受け付けた場合に、前記分割元記録媒体を所有する遊技客が遊技を終了したか否かを判定する判定手段をさらに備え、前記返却制御手段は、前記判定手段により前記分割元記録媒体を所有する遊技客が遊技を終了したと判定された場合に、前記分割元記録媒体に対応付けて遊技店に預け入れられた貯有価価値に前記返却有価価値を加算処理することを特徴とする。
【００１６】
また、本発明は、上記の発明において、前記判定手段は、所定の精算機による前記分割元記録媒体の精算処理又は所定の景品交換装置による前記分割元記録媒体の景品交換処理がなされた場合に、該分割元記録媒体を所有する遊技客が遊技を終了したと判定することを特徴とする。
【００１７】
また、本発明は、分割元記録媒体に対応付けられた有価価値の一部をなす分割有価価値を該有価価値から分割処理して分割先記録媒体に対応付け、前記分割元記録媒体並びに分割先記録媒体を用いた複数の遊技客による有価価値の共有を可能にする遊技システムの分割有価価値返却処理方法であって、前記分割先記録媒体に対応付けられた有価価値のうち前記分割元記録媒体への返却対象となる前記分割有価価値の一部をなす返却有価価値を指定した返却操作を受け付ける返却操作受付工程と、前記返却操作受付工程により返却操作を受け付けた場合に、前記分割先記録媒体を一意に識別する識別情報、前記分割有価価値並びに前記分割先記録媒体を一意に識別する識別情報を対応付けた分割情報に基づいて前記返却有価価値の返却対象となる分割元記録媒体の識別情報を特定し、前記分割先記録媒体の識別情報に対応付けられた有価価値から前記返却有価価値を減算処理するとともに、前記分割元記録媒体の識別情報に対応付けられた有価価値に前記返却有価価値を加算処理して、該返却有価価値の返却制御を行う返却制御工程とを含んだことを特徴とする。
【発明の効果】
【００１８】
本発明によれば、遊技店内に配設される端末装置が、分割先記録媒体に対応付けられた有価価値のうち分割元記録媒体への返却対象となる分割有価価値の一部をなす返却有価価値を指定した返却操作を受け付けると、複数の記録媒体に対応付けられた有価価値を管理する管理装置は、分割先記録媒体を一意に識別する識別情報、分割有価価値並びに分割先記録媒体を一意に識別する識別情報を対応付けた分割情報に基づいて返却有価価値の返却対象となる分割元記録媒体の識別情報を特定し、分割先記録媒体の識別情報に対応付けられた有価価値から返却有価価値を減算処理するとともに、分割元記録媒体の識別情報に対応付けられた有価価値に返却有価価値を加算処理して、該返却有価価値の返却制御を行うよう構成したので、分割された分割有価価値を円滑かつ効率的に返却することができる。
【００１９】
また、本発明によれば、端末装置が、分割先記録媒体を受け入れた状態で返却操作を受け付ける場合に、管理装置から該分割先記録媒体の識別情報に対応する分割有価価値を取得し、取得した分割有価価値を所定の表示部に表示制御するよう構成したので、遊技客は、現時点で借りている分割有価価値を把握したうえで、返却する返却有価価値を指定することができる。
【００２０】
また、本発明によれば、管理装置は、分割元記録媒体の識別情報に対応付けられた有価価値に返却有価価値が加算処理された場合に、分割元記録媒体が所在する端末装置を検索し、検索した端末装置に対して加算処理後の有価価値を通知し、分割元記録媒体が所在する端末装置は、管理装置から加算処理後の有価価値の通知を受け付けた場合に、分割元記録媒体に対応付けた有価価値を更新するよう構成したので、分割元の遊技客は、返却された有価価値を利用して遊技を行うことができる。
【００２１】
また、本発明によれば、分割元記録媒体が所在する端末装置は、管理装置から加算処理後の有価価値の通知を受け付けた場合に、返却有価価値が返却された旨を所定の表示部に表示制御するよう構成したので、分割元の遊技客は有価価値の返却を受けた旨を効率良く把握することができる。
【００２２】
また、本発明によれば、管理装置は、返却操作を受け付けた場合に、分割元記録媒体を所有する遊技客が遊技を終了したか否かを判定し、分割元記録媒体を所有する遊技客が遊技を終了したと判定された場合に、分割元記録媒体に対応付けて遊技店に預け入れられた貯有価価値に返却有価価値を加算処理するよう構成したので、例えば遊技店に会員登録された会員等の遊技客の場合には、該遊技客が遊技を終了した場合であっても、返却有価価値を返却することができる。
【００２３】
また、本発明によれば、所定の精算機による分割元記録媒体の精算処理又は所定の景品交換装置による分割元記録媒体の景品交換処理がなされた場合に、該分割元記録媒体を所有する遊技客が遊技を終了したと判定するよう構成したので、遊技客が遊技を終了したか否かを効率良く判定することができる。
【図面の簡単な説明】
【００２４】
【図１】図１は、本実施例に係る遊技媒体処理システム及び分割持玉返却処理方法の概念を説明するための説明図である。
【図２】図２は、本実施例に係る遊技媒体処理システムのシステム構成を示す図である。
【図３】図３は、図２に示した台間カード処理機の外観構成を示す図である。
【図４】図４は、図３に示したカードユニット部の概略図である。
【図５】図５は、図１に示した台間カード処理機及びカード管理装置の内部構成を示す機能ブロック図である。
【図６】図６は、図５に示したカード情報の一例を示す図である。
【図７】図７は、図５に示した台間カード処理機及びカード管理装置による持玉分割処理手順を示すフローチャートである。
【図８】図８は、持玉分割操作の一例を示す図である。
【図９】図９は、図５に示した持玉を返却する側の台間カード処理機による持玉返却処理手順を示すフローチャートである。
【図１０】図１０は、図５に示したカード管理装置による持玉返却制御手順を示すフローチャートである。
【図１１】図１１は、図５に示した持玉が返却される側の台間カード処理機による持玉返却処理手順を示すフローチャートである。
【図１２】図１２は、持玉返却操作の一例を示す図である。
【図１３】図１３は、持玉返却された場合の結果表示並びに精算機又は景品管理装置での持玉返却操作画面の一例を示す図である。
【発明を実施するための形態】
【００２５】
以下に、添付図面を参照して、本発明に係る遊技システム及び分割有価価値返却処理方法の好適な実施例を詳細に説明する。以下では、記録媒体がカードであり、このカードに関連付けられる持玉を分割対象とするとともに、台間カード処理機を用いて持玉返却を行う場合を中心に説明することとする。
【実施例】
【００２６】
まず、本実施例に係る遊技媒体処理システム及び分割持玉返却処理方法の概念について説明する。図１は、本実施例に係る遊技媒体処理システム及び分割持玉返却処理方法の概念を説明するための説明図である。ここでは、分割元カードに対応付けられた持玉数を分割処理して分割先カードに例えば２０００玉を対応付けた後に、この分割先カードを譲渡された第三者が遊技を通じて合計５０００玉を獲得し、この５０００玉のうちの１０００玉を分割元カードに返却処理する場合を示すこととする。また、分割元カードに対応付けられた持玉数を分割処理した際に、カード管理装置４０のカード情報４０ｅ内に分割元カードのカードＩＤ、分割玉数及び分割先カードのカードＩＤが対応付けて記憶されているものとする。
【００２７】
図１に示すように、分割先カードを用いて遊技を行う遊技客は、自身が遊技する遊技機２０に併設された台間カード処理機１０の表示操作部１３に対して持玉返却操作を行う。具体的には、例えば返却玉数１０００玉を入力して確定ボタンを押下操作する。これにより、分割先カードのカードＩＤとともに返却玉数１０００玉がカード管理装置４０に通知される。
【００２８】
一方、この返却玉数１０００玉を受信したカード管理装置４０は、カード情報４０ｅ内の分割先カードのカードＩＤに対応する持玉数から返却玉数１０００玉を減算処理する。ここでは、持玉数５０００玉から返却玉数１０００玉を減算処理して持玉数が４０００玉となった状況を示している。
【００２９】
また、カード管理装置４０は、分割先カードのカードＩＤを用いてカード情報４０ｅを検索して分割元カードのカードＩＤを特定し、特定した分割元カードのカードＩＤに対応する持玉数に返却玉数１０００玉を加算処理する。ここでは、持玉数４０００玉に返却玉数１０００玉を加算処理して持玉数が５０００玉となった状況を示している。
【００３０】
さらに、カード管理装置４０は、台間カード処理機１０を一意に特定する識別情報と該台間カード処理機１０内に所在するカードのカードＩＤとを対応づけたカード管理テーブルを参照して分割元カードが所在する台間カード処理機１０を特定し、特定した台間カード処理機１０に対して更新後の持玉数５０００玉を通知する。これにより、分割元カードが所在する台間カード処理機１０の持玉数表示部１８ａには「５０００玉」が表示されるとともに、該台間カード処理機１０の表示操作部１３には、分割玉数の一部である返却玉数１０００玉の返却を受けて持玉数が５０００玉となり、残りの分割玉数が１０００玉である旨が表示される。
【００３１】
上記一連の処理を行うことにより、分割先カードに対応付けられた持玉数の一部を分割元カードに返却することができ、持玉分割によって持玉数を譲り渡した遊技客が返却玉数を用いた遊技若しくは景品交換を行うことができる。特に、「借りた物は返す」と言う遊技客間のコンセンサスに適合するサービスを提供することが可能となる。
【００３２】
次に、本実施例に係る遊技媒体処理システムのシステム構成について説明する。図２は、本実施例に係る遊技媒体処理システムのシステム構成を示す図である。同図に示すように、この遊技媒体処理システムでは、複数の遊技機２０と、各遊技機２０にそれぞれ対応して設けられた台間カード処理機１０と、カード管理装置４０と、会員管理装置５０と、複数の島端計数機６０と、精算機７０と、景品管理装置８０とが通信回線９０を介して接続されている。なお、複数の遊技機２０及び台間カード処理機１０は、島コントローラ３０を介して通信回線９０に接続されている。
【００３３】
遊技機２０は、パチンコ玉を遊技領域に打ち込んで遊技客がパチンコ遊技を行うパチンコ機等の装置である。台間カード処理機１０は、遊技機２０に対する玉貸し処理、遊技機２０で獲得したパチンコ玉の計数処理、計数したパチンコ玉を持玉として再投出する処理、貯玉の再プレイ処理などを行う装置である。
【００３４】
この台間カード処理機１０には、あらかじめ複数枚のカードが収納されており、遊技客が遊技を終えてカード返却ボタン２１ａを押下操作すると、該カード１にプリペイド価値並びに持玉数を関連付けた後に返却される。具体的には、このプリペイド価値及び持玉数がカード１内の記憶部に書き込まれるとともに、カード管理装置４０で管理されるカード情報４０ｅの内容が更新される。また、カード１を受け入れたならば、該カード１のカードＩＤを読み取って該カードＩＤに対応するプリペイド価値並びに持玉数をカード管理装置４０から取得し、取得したプリペイド価値並びに持玉数に基づいてパチンコ玉の貸出処理並びに持玉の投出処理を行う。なお、カード１自体にプリペイド価値並びに持玉数を書き込んだ理由は主にオフライン運用を考慮したためであり、通常運用ではカード管理装置４０で管理されるカード情報４０ｅが正として取り扱われる。
【００３５】
また、この台間カード処理機１０は、カード管理装置４０から取得した持玉数１０ｄを記憶部１０ｃに記憶する。持玉の払出操作が行われた場合には、かかる記憶部１０ｃ内の持玉数１０ｄが減算処理されるとともに、カード管理装置４０内のカード情報４０ｅに記憶した持玉数も減算処理される。同様に、持玉の計数処理が行われた場合には、かかる記憶部１０ｃ内の持玉数１０ｄが加算処理されるとともに、カード管理装置４０内のカード情報４０ｅに記憶した持玉数も加算処理される。このように、本実施例では、カード管理装置４０内のカード情報４０ｅに記憶した持玉数と、台間カード処理機１０の記憶部１０ｃ内の持玉数１０ｄがリアルタイムで整合性が取られる場合を示している。
【００３６】
また、この台間カード処理機１０は、持玉が存在する状況下で持玉の分割玉数を入力する持玉分割操作が行われると、該持玉数から分割玉数を差し引いた値を関連付けた分割元カードを排出した後、分割玉数を関連付けた分割先カードを排出する。このため、遊技客は、先に排出された分割元カードを再度台間カード処理機１０に挿入して遊技を継続できるとともに、分割先カードを第三者に渡して持玉共有を行うことができる。
【００３７】
また、この台間カード処理機１０は、分割玉数全部若しくは分割玉数の一部の持玉を返却する持玉返却操作が行われた場合に、分割先カードのカードＩＤ及び返却玉数をカード管理装置４０に通知することで、返却玉数を分割元カードに返却する返却依頼を行う。また、台間カード処理機１０は、分割玉数の全部又は一部が返却された場合に、持玉数が更新されるとともに、分割玉数の全部又は一部が返却された旨を表示する。かかる分割玉数の返却処理については、以下で具体的に説明する。
【００３８】
島コントローラ３０は、遊技島に設けられた一群の遊技機２０及び台間カード処理機１０を束ねる中継装置である。カード管理装置４０は、カード１のプリペイド価値及び持玉数等をカード情報４０ｅとして管理する管理装置である。なお、その詳細な説明は後述するが、かかるカード情報４０ｅには、プリペイド価値及び持玉数だけではなく、分割玉数、分割元カードＩＤ、分割先カードＩＤからなる分割データが含まれる。
【００３９】
会員管理装置５０は、遊技店に会員登録された会員の会員データを管理する管理装置である。具体的には、会員に対して発行した会員カードＩＤに対応づけて、会員の氏名及び住所等の会員データ並びに貯玉データ等を管理する。なお、本実施例では貯玉の分割処理についての説明を省略するが、持玉分割処理と同様に行うことができる。
【００４０】
島端計数機６０は、遊技島端等に設けられ、遊技客が獲得したパチンコ玉数を計数し、計数値をカード１に関連付けるか、レシートへ印字して発行する。精算機７０は、紙幣挿入部４２に挿入された各種紙幣のプリペイド価値が関連付けられたカード１が挿入されると、このプリペイド価値に相当する現金の払出を行う。景品管理装置８０は、遊技店内の景品交換カウンターに併設された景品交換用の端末装置であり、貯玉及び持玉の景品交換処理を行う。
【００４１】
次に、図１に示した台間カード処理機１０の外観構成について説明する。図３は、図１に示した台間カード処理機１０の外観構成を示す図である。同図には、台間カード処理機１０が併設される遊技機２０が破線で図示されている。また、同図には紙幣のみを受け付ける台間カード処理機１０を図示したが、硬貨受け付け用のユニットを設けることもできる。
【００４２】
図３に示すように、台間カード処理機１０は、台間カード処理機１０の装置の状態を所定色のランプの点灯あるいは点滅で表示する状態表示部１１と、パチンコ玉を貸し出す際の各種紙幣を受け付ける紙幣挿入部１２とを有する。また、台間カード処理機１０は、ディスプレイなどの表示部並びにテンキーや各種ボタンを含む操作部からなる表示操作部１３と、遊技機２０の上皿２１に遊技媒体を供給するノズル１４と、カードＩＤ、プリペイド価値、貯玉データ及び持玉データが記憶されたカード１を受け付けるカードユニット部１５と、携帯端末の識別子であるＩＤｍを読み取る携帯読取部１６とが設けられている。
【００４３】
また、台間カード処理機１０は、遊技客が獲得したパチンコ玉数を持玉数として計数する計数部１７と、獲得玉を貯留する持玉貯留部１８とを有する。遊技機２０の下皿２２から落下した遊技媒体は、持玉貯留部１８を経て計数部１７へと導かれる。この持玉貯留部１８には、持玉数を表示する持玉数表示部１８ａが設けられている。この持玉数表示部１８ａは、７セグメント（７ＳＥＧ）のＬＣＤ等で構成され、後述する台間カード処理機１０の制御部１０ｅにより表示制御される。
【００４４】
なお、遊技機２０には、パチンコ玉を貯留する上皿２１及び該上皿２１の貯留量が増えたパチンコ玉を貯留する下皿２２が設けられている。この上皿２１には、カードを返却するカード返却ボタン２１ａが設けられている。
【００４５】
次に、図３に示した台間カード処理機１０のカードユニット部１５について、さらに詳細に説明する。図４は、図３に示したカードユニット部１５の概略図である。同図（ａ）には、カードユニット部１５を前面側（同図のＺ軸の負方向）からみた概略前面図を示し、同図（ｂ）には、カードユニット部１５を側面側（同図のＹＺ平面で切断しＸ軸の正方向）からみた概略側断面図を示している。
【００４６】
同図（ｂ）に示したように、カードユニット部１５は、カード搬送部１５ａと、リーダライタ部１５ｂと、収納部１５ｄとを備えている。また、リーダライタ部１５ｂは、アンテナ部１５ｃを有する。このリーダライタ部１５ｂは、図５に示したＲ／Ｗ部１０ａと同一のものである。なお、カードユニット部１５が取り扱うカードは、ＩＣチップを内蔵するいわゆるＩＣカードであり、あらかじめカードＩＤが記録されるとともに、持玉数、プリペイド価値などのデータが記録されている。そして、持玉数やプリペイド価値は、カード管理装置４０のカード情報４０ｅに記憶される。
【００４７】
カード搬送部１５ａは、遊技店の会員に対して発行される会員カードや一般カードが挿入された場合に、カードを同図のＺ軸の正方向へと搬送する。また、カードを排出する場合には、カードを同図のＺ軸の負方向へと搬送する。
【００４８】
リーダライタ部１５ｂは、カードとのデータ送受信を行うアンテナ部１５ｃを有している。また、リーダライタ部１５ｂは、かかるデータ送受信に際して、カードをアンテナ部１５ｃ上に保持する。したがって、台間カード処理機１０が、カードに関連付けられた持玉数を分割する場合には、かかるリーダライタ部１５ｂの位置までカードを搬送する必要がある。
【００４９】
収納部１５ｄは、遊技店の非会員である一般客に主に利用されるいわゆる一般カードの収納領域である。所定枚数の一般カードが、遊技店の開店前にあらかじめ収納部１５ｄに収納される。また、持玉データが関連付けられた一般カードが挿入口から挿入された場合には、リーダライタ部１５ｂにて持玉データを読み取って関連付けを解消する。関連付けが解消された一般カードは、収納部１５ｄへ収納される。なお、台間カード処理機１０が持玉の分割処理を行う場合には、収納部１５ｄに収納された所定枚数の一般カードのうち、常に最上位に位置する一般カードがリーダライタ部１５ｂの位置に搬送されることになる。
【００５０】
次に、図１に示した台間カード処理機１０及びカード管理装置４０の内部構成について説明する。図５は、図１に示した台間カード処理機１０及びカード管理装置４０の内部構成を示す機能ブロック図である。
【００５１】
同図に示すように、台間カード処理機１０は、Ｒ／Ｗ部１０ａと、通信Ｉ／Ｆ部１０ｂと、記憶部１０ｃと、制御部１０ｅとを有する。この制御部１０ｅには、表示操作部１３、計数部１７及び持玉数表示部１８ａが接続されている。
【００５２】
Ｒ／Ｗ部１０ａは、受け入れたカード１へのデータの読み書きを行う処理部である。具体的には、カード１が挿入された場合には、該カード１のカードＩＤ、プリペイド価値及び持玉数を読み込んで制御部１０ｅに出力する。カード１を返却する場合には、このカード１にプリペイド価値及び持玉数を書き込む処理を行う。なお、カード１にプリペイド価値及び持玉数を書き込む理由は、カード管理装置４０との通信が途絶した状況下でもオフライン運用を可能にするためである。なお、カード１を受け入れた場合には、該カード１のカードＩＤと台間カード処理機１０を一意に識別する号機番号とをカード管理装置４０に通知して、カード情報４０ｅの号機番号の欄に該台間カード処理機１０の号機番号が書き込まれる。同様に、カード１を排出する場合には、該カード１のカードＩＤと台間カード処理機１０の号機番号とをカード管理装置４０に通知して、カード情報４０ｅの号機番号の欄がクリアされる。
【００５３】
通信Ｉ／Ｆ部１０ｂは、カード管理装置４０とデータ通信を行うためのインタフェース部である。記憶部１０ｃは、ハードディスク装置や不揮発性メモリ等の記憶デバイスであり、遊技客が保持する持玉を示す持玉数１０ｄを記憶する。
【００５４】
制御部１０ｅは、台間カード処理機１０の全体制御を行う制御部であり、持玉管理部１０ｆ、持玉分割処理部１０ｇ、持玉返却処理部１０ｈ及び払出処理部１０ｉを有する。持玉管理部１０ｆは、記憶部１０ｃに記憶した持玉数１０ｄを用いて遊技客の持玉数を管理する管理部である。具体的には、新たな持玉が計数された場合には計数値を持玉数に加算処理するとともに、カード管理装置４０に計数値を通知して持玉数の加算要求を行う。持玉の払い出しが行われた場合には払い出し数を持玉数から減算処理するとともに、カード管理装置４０に払い出し数を通知して持玉数の減算要求を行う。カード１を返却する場合には、カード管理装置４０に対して持玉数を通知してカード管理装置４０により管理されるカード情報４０ｅの更新指示を行う。なお、持玉管理部１０ｆは、返却玉数によって加算更新された持玉数をカード管理装置４０から受け取ったならば、記憶部１０ｃに記憶した持玉数１０ｄを更新するとともに、分割玉数の全部又は一部が返却された旨を表示操作部１３に表示制御する。
【００５５】
持玉分割処理部１０ｇは、持玉の分割処理を行う処理部である。具体的には、表示操作部１３を介して持玉を分割する持玉分割操作を受け付けたならば、持玉数１０ｄから分割玉数を減算した値を関連付けた分割元カードを排出した後、分割玉数を関連付けた分割先カードを排出する処理を行う。なお、持玉分割処理の詳細な説明については後述する。
【００５６】
持玉返却処理部１０ｈは、持玉分割された分割玉数の全部又は一部の返却処理を行う処理部である。具体的には、表示操作部１３を介して分割玉数の全部又は一部を返却する持玉返却操作を受け付けたならば、自装置に挿入されている分割先カードのカードＩＤと返却玉数をカード管理装置４０に通知する。
【００５７】
払出処理部１０ｉは、持玉払出ボタンが押下操作された場合に、ノズル１４を介して持玉数のうちの所定数（例えば、１２５玉）を遊技機２０の上皿２１に投出するとともに、貸出ボタンが押下操作された場合には、カード１にプリペイド価値があることを条件に所定数の遊技媒体を払い出すよう遊技機２０に指示する処理部である。なお、貯玉の再プレイを行う場合には、ノズル１４を介して貯玉数のうちの所定数（例えば、１２５玉）を遊技機２０の上皿２１に投出することになる。
【００５８】
次に、カード管理装置４０は、入力部４０ａと、表示部４０ｂと、通信Ｉ／Ｆ部４０ｃと、記憶部４０ｄと、制御部４０ｆとを有する。入力部４０ａは、キーボードやマウス等の入力デバイスであり、表示部４０ｂは、液晶パネルやディスプレイ装置等の表示デバイスである。通信Ｉ／Ｆ部４０ｃは、台間カード処理機１０とデータ通信するためのインタフェース部であり、記憶部４０ｄは、ハードディスク装置や不揮発性メモリ等の記憶デバイスである。
【００５９】
図６に示すように、この記憶部４０ｄには、カードＩＤ、プリペイド価値、持玉数、分割データ、カード処理済フラグ及び号機番号が対応づけたカード情報４０ｅが記憶されている。この分割データは、持玉分割が実行された場合のリンク関係を示すデータであり、分割元カードのカードＩＤ、分割先カードのカードＩＤ及び分割玉数からなる。
【００６０】
カード処理済フラグは、精算機７０による精算処理又は景品管理装置８０による景品交換処理がなされたか否かを示すフラグであり、精算処理又は景品交換処理がなされるまでは未処理を示す「０」となり、精算処理又は景品交換処理が行われたならば処理済みを示す「１」となる。なお、このカード処理済フラグは閉店処理時又は開店処理時に「０」に初期化される。このため、かかるカード処理済フラグを参照すれば、遊技客による遊技が終了したか否かを判定することができる。号機番号は、台間カード処理機１０を一意に識別する号機番号である。このため、かかる号機番号を参照すれば、カード１がどの台間カード処理機１０に存在するかを判定することができる。
【００６１】
図６は、カードＩＤ「００００１」の持玉数「５０００玉」のうちの「２０００玉」がカードＩＤ「００００２」に持玉分割され、カードＩＤ「００００１」の持玉数が「３０００玉」となり、カードＩＤ「００００２」の持玉数が「２０００玉」となった状況を示している。かかる持玉分割が実行されると、図６に示すように、分割玉数「２０００玉」及び分割先カードＩＤ「００００２」がカードＩＤ「００００１」に対応づけられ、分割元カードＩＤ「００００１」がカードＩＤ「００００２」に対応づけられることになる。
【００６２】
また、カードＩＤ「００００１」及び「００００２」のカードは、ともにカード処理済みフラグが「０」であるため、精算機７０による精算処理又は景品管理装置８０による景品交換処理がなされていない状況を示している。さらに、カードＩＤ「００００１」のカードは、号機番号「１００」の台間カード処理機１０に存在し、カードＩＤ「００００２」のカードは、号機番号「１２０」の台間カード処理機１０に存在する状況を示している。
【００６３】
制御部４０ｆは、カード管理装置４０を全体制御する制御部であり、カード情報管理部４０ｇ及び持玉返却制御部４０ｈを有する。カード情報管理部４０ｇは、記憶部４０ｄに記憶したカード情報４０ｅを用いて各カードの持玉数やプリペイド価値を管理する。
【００６４】
持玉返却制御部４０ｈは、持玉分割された分割玉数の全部又は一部を分割元カードに返却制御する制御部である。具体的には、台間カード処理機１０から分割先カードのカードＩＤ及び返却玉数を受け取ったならば、カード情報４０ｅの該カードＩＤの持玉数から返却玉数を減算処理する。また、分割先カードのカードＩＤを用いてカード情報４０ｅを検索して分割元カードのカードＩＤを特定し、カード情報４０ｅの該カードＩＤの持玉数に返却玉数を加算処理する。その後、この分割元カードのカードＩＤが所在する台間カード処理機１０の号機番号を特定し、特定した台間カード処理機１０に対して更新後の持玉数を通知する。
【００６５】
なお、分割元カードのカードＩＤのカード処理済フラグが「１」である場合には、分割元カードを所持する遊技客が遊技を終了したものとみなして、返却玉数の加算処理は行わない。かかる場合には、該分割元カードのカードＩＤと返却玉数を会員管理装置５０に通知し、該カードＩＤに対応する貯玉に返却玉数を加算するよう依頼する。
【００６６】
次に、図５に示した台間カード処理機１０及びカード管理装置４０による持玉分割処理手順について説明する。図７は、図５に示した台間カード処理機１０及びカード管理装置４０による持玉分割処理手順を示すフローチャートである。ここでは、説明の便宜上、カード１に持玉が関連付けられているものとする。
【００６７】
図７に示すように、台間カード処理機１０は、遊技客による持玉分割操作を受け付ける（ステップＳ１０１）。具体的には、図８（ａ）に示すように、「情報参照」、「貯玉」、「持玉分割」、「持玉返却」の処理を選択するメニュー画面を表示し、「持玉分割」が選択されたならば、図８（ｂ）に示した「分割玉数」を入力する入力画面を表示する。そして、テンキーを用いて分割玉数を入力して確定キーが押下操作されたならば、図８（ｃ）に示した分割結果確認画面を表示する。
【００６８】
かかる持玉分割操作が行われると、現持玉数１０ｄ（Ａ）と分割玉数（Ｂ）から分割後の分割元カードの持玉数（Ｃ）が「Ｃ＝Ａ−Ｂ」の算定式により算定され（ステップＳ１０２）、分割元カードのカードＩＤ、持玉数（Ｃ）、分割玉数（Ｂ）及び分割先カードのカードＩＤをカード管理装置４０に通知する（ステップＳ１０３）。
【００６９】
カード管理装置４０は、これらのデータの受信待ちの状態にあり（ステップＳ１０４；Ｎｏ）、分割元カードのカードＩＤ、持玉数（Ｃ）、分割玉数（Ｂ）及び分割先カードのカードＩＤを受信したならば（ステップＳ１０４；Ｙｅｓ）、記憶部４０ｄに記憶したカード情報４０ｅを更新する（ステップＳ１０５）。
【００７０】
台間カード処理機１０は、分割元カードにプリペイドカード残高とともに持玉数（Ｃ）を書き込み（ステップＳ１０６）、分割元カードを排出した後（ステップＳ１０７）、分割先カードのカードＩＤ、持玉数（Ｂ）及び分割先カードのカードＩＤをカード管理装置４０に通知する（ステップＳ１０８）。
【００７１】
カード管理装置４０は、これらのデータの受信待ちの状態にあり（ステップＳ１０９；Ｎｏ）、分割先カードのカードＩＤ、持玉数（Ｂ）及び分割先カードのカードＩＤを受信したならば（ステップＳ１０９；Ｙｅｓ）、記憶部４０ｄに記憶したカード情報４０ｅを更新する（ステップＳ１１０）。そして、台間カード処理機１０は、分割先カードに持玉数（Ｃ）を書き込み（ステップＳ１１１）、分割先カードを排出する（ステップＳ１１２）。なお、分割元カードを排出せずに、分割先カードのみ排出するようにしても良い。
【００７２】
上記一連の処理を行うことにより、持玉数の一部である分割玉数を分割先カードに対応付けて排出するとともに、持玉分割に関するリンク情報を意味する分割データをカード管理装置４０のカード情報４０ｅに登録することができる。ここで、本実施例は、持玉分割後の持玉返却にその特徴があるため、持玉分割の処理は他の要領で実施することができる。ただし、持玉返却を可能にする際に利用される持玉分割に関するリンク情報は保持する必要がある。
【００７３】
次に、図５に示した持玉を返却する側の台間カード処理機１０による持玉返却処理手順について説明する。図９は、図５に示した持玉を返却する側の台間カード処理機１０による持玉返却処理手順を示すフローチャートである。
【００７４】
図９に示すように、図１２（ａ）に示したように台間カード処理機１０の表示操作部１３に表示した持玉返却ボタンが押下操作されたならば（ステップＳ２０１）、カード管理装置４０に対して分割先カードのカードＩＤを送信して、持玉分割時の分割玉数の問い合わせを行う（ステップＳ２０２）。カード管理装置４０は、分割先カードのカードＩＤによりカード情報４０ｅを検索して分割玉数を特定し、特定した分割玉数を返信する。
【００７５】
その後、台間カード処理機１０が分割玉数を受信したならば（ステップＳ２０３；Ｙｅｓ）、図１２（ｂ）に示すように表示操作部１３に分割玉数を表示するとともに（ステップＳ２０４）、返却玉数の選択メニュー画面を表示する。ここでは、テンキーで返却玉数を直接入力する「玉数指定」、返却玉数を分割玉数全数とする「全数返却」又は最低価格の特殊景品に交換できない端数を返却する「端数返却」を選択可能とする場合を示している。
【００７６】
そして、「全数返却」が選択された場合には（ステップＳ２０５；Ｙｅｓ）、図１２（ｄ）に示すように分割玉数全てを返却玉数とする（ステップＳ２０６）。また、「端数返却」が選択された場合には（ステップＳ２０５；Ｎｏ、ステップＳ２０７；Ｙｅｓ）、図１２（ｅ）に示すように持玉数を１２５玉で除算した剰余を返却玉数とする（ステップＳ２０８）。ここでは、１玉が４円で特殊景品に交換され、最低の特殊景品の金額が５００円である場合を想定したため、５００÷４＝１２５玉で除算を行っている。なお、図１２（ｅ）の場合は返却玉数が０玉とされるが、例えば持玉数が４０５６玉である場合には、５６玉が返却玉数となる。
【００７７】
また、「玉数指定」が選択された場合には（ステップＳ２０５；Ｎｏ、ステップＳ２０７；Ｎｏ）、図１２（ｃ）に示すようにテンキーを用いて入力された玉数が返却玉数となる（ステップＳ２０９）。図１２（ｃ）では、テンキー上で「１０００玉」が入力された場合を示している。
【００７８】
このようにして、返却玉数が入力されたならば、分割先カードのカードＩＤ及び返却玉数をカード管理装置４０に通知する（ステップＳ２１０）。そして、かかる通知を受けたカード管理装置４０から減算指示を受け付けたならば（ステップＳ２１１；Ｙｅｓ）、記憶部１０ｃに記憶した持玉数１０ｄから返却玉数を減算し（ステップＳ２１２）、返却完了を表示操作部１３に表示する（ステップＳ２１３）。
【００７９】
次に、図５に示したカード管理装置による持玉返却制御手順について説明する。図１０は、図５に示したカード管理装置による持玉返却制御手順を示すフローチャートである。図１０に示すように、カード管理装置４０は、台間カード処理機１０から分割先カードのカードＩＤと返却玉数を受け付けたならば（ステップＳ３０１；Ｙｅｓ）、カード情報４０ｅを検索する（ステップＳ３０２）。
【００８０】
その結果、カード情報４０ｅの分割先カードのカードＩＤの分割データの欄に分割元カードのカードＩＤが設定されていない場合には（ステップＳ３０３；Ｎｏ）、分割先カードが所在する台間カード処理機１０に対して返却中止を通知する（ステップＳ３０４）。適正な返却処理を行えないためである。
【００８１】
これに対して、カード情報４０ｅの分割先カードのカードＩＤの分割データの欄に分割元カードのカードＩＤが設定されている場合には（ステップＳ３０３；Ｙｅｓ）、分割元カードが処理済みであるか否かを判定する（ステップＳ３０４）。具体的には、カード情報４０ｅの分割元カードのカードＩＤに対応するカード処理済フラグが「０」である場合には未処理であると判定し、カード処理済フラグが「１」である場合には処理済みであると判定する。
【００８２】
その結果、分割元カードが処理済みであると判定された場合には（ステップＳ３０４；Ｙｅｓ）、分割元カードの精算処理又は景品交換処理を終えたことを意味するため、分割元カードのカードＩＤ及び返却玉数を会員管理装置５０に通知して該返却玉数を貯玉として加算するよう指示する（ステップＳ３０６）。ただし、貯玉加算できるのは分割元カードが会員カードである場合である。分割元カードが一般カードであれば、返却処理ができないので返却処理ＮＧを報知し、処理を終了する。
【００８３】
一方、分割元カードが未処理であると判定された場合には（ステップＳ３０４；Ｎｏ）、カード情報４０ｅを更新する（ステップＳ３０９）。具体的には、分割先カードのカードＩＤに対応する持玉数から返却玉数を減算処理するとともに、分割データを辿って分割元カードのカードＩＤを特定し、特定したカードＩＤの持玉数に返却玉数を加算処理する。その後、カード情報４０ｅを用いて分割先カードが所在する台間カード処理機１０の号機番号を特定し、特定した分割先カードが所在する台間カード処理機１０に更新後の持玉数を通知する（ステップＳ３１０）。また、分割先カードが所在する台間カード処理機１０に持玉数の減算指示を行う（ステップＳ３１１）。
【００８４】
次に、図５に示した持玉を返却された側の台間カード処理機１０による持玉返却処理手順について説明する。図１１は、図５に示した持玉を返却された側の台間カード処理機１０による持玉返却処理手順を示すフローチャートである。
【００８５】
図１１に示すように、この台間カード処理機１０が、カード管理装置４０から返却玉数が加算された新たな持玉数を受信したならば（ステップＳ４０１；Ｙｅｓ）、装置内部の記憶部１０ｃに記憶した持玉数１０ｄを更新した後（ステップＳ４０２）、図１３（ａ）に示すように持玉返却結果を表示する（ステップＳ４０３）。図１３（ａ）では、「分割玉数の返却を受けました」と言うメッセージとともに、返却玉数が１０００玉、残数が１０００玉、持玉数が５０００玉である旨を表示している。
【００８６】
上述してきたように、本実施例では、分割先カードが所在する台間カード処理機１０で分割玉数の全部又は一部を返却する持玉返却操作がなされた場合に、カード管理装置４０で管理するカード情報４０ｅ内の分割先カードのカードＩＤに対応する持玉数から返却玉数を減算処理するとともに、分割元カードのカードＩＤを特定して該分割元カードのカードＩＤに対応する持玉数に返却玉数を加算処理し、更新後の持玉数を分割元カードが所在する台間カード処理機１０に通知して持玉数を更新するよう構成したので、分割先カードに対応付けられた持玉数の一部を分割元カードに返却することができ、持玉分割によって持玉数を譲り渡した遊技客が返却玉数を用いた遊技若しくは景品交換を行うことができる。特に、「借りた物は返す」と言う遊技客間のコンセンサスに適合するサービスを提供することが可能となる。
【００８７】
なお、本実施例では、台間カード処理機１０を用いて持玉返却を行う場合を示したが、本発明はこれに限定されるものではなく、精算機７０、景品管理装置８０、島端計数機６０若しくは遊技店に配設された他の装置を用いて持玉返却を行うこともできる。例えば、精算機７０で持玉返却を行う場合には、該精算機７０に分割先カードが挿入された時点でカード管理装置４０に分割玉数の存在の有無を確認し、図１３（ｂ）に示すように「未返却の分割玉数があります」と表示することができる。そして、返却ボタンが押下操作されたならば、図１２に示した表示内容と同様の表示を精算機７０の表示部に行えば良い。同様に、景品管理装置８０を用いて持玉返却を行う場合も、図１３（ｃ）に示すように「未返却の分割玉数があります」と表示する。そして、返却ボタンが押下操作されたならば、図１２に示した表示内容と同様の表示を精算機７０の表示部に行えば良い。
【００８８】
また、本実施例では、カード管理装置４０で管理する持玉数をリアルタイムで更新する場合を示したが、本発明はこれに限定されるものではない。例えば、台間カード処理機１０に持玉数を通知した時点で台間カード処理機１０の記憶部１０ｃに記憶した持玉数１０ｄを正とし、カード管理装置４０のカード情報４０ｅのカードＩＤに対応する持玉数を「０」にする運用を行う場合には、返却玉数を分割元カードが所在する台間カード処理機１０に通知して、該台間カード処理機１０上で持玉数に返却玉数を加算処理させれば良い。
【００８９】
また、本実施例では、持玉を分割処理及び合算処理する場合を示したが、本発明はこれに限定されるものではなく、貯玉やプリペイド価値等の有価価値を分割処理及び返却処理する場合に適用することもできる。さらに、本実施例では、台間カード処理機１０からノズルを介して持玉を払い出す場合を示したが、本発明はこれに限定されるものではなく、台間カード処理機１０から遊技機に対して払出指示を行い、遊技機２０の内部からパチンコ玉を払い出す場合に適用することもできる。
【００９０】
また、本実施例では、カード管理装置４０と会員管理装置５０を別装置とした場合を示したが、本発明はこれに限定されるものではなく、カード管理装置４０と会員管理装置５０を一体化した場合に適用することもできる。
【００９１】
また、いわゆるダブルサンドと呼ばれる台間カード処理機（ＣＲユニット）と各台計数機が分離されたものの場合は、計数機能、持玉分割機能、持玉返却機能を、貸出機能を持つ台間カード処理機（ＣＲユニット）とは別体の装置に持たせても良い。
【００９２】
また、分割玉数、分割元カードＩＤをカード管理装置４０で記憶するだけではなく、分割先カード自体に記憶するようにしても良い。また、分割元カード自体にも記憶するようにしても良い。
【００９３】
また、分割玉数の返却は、分割元カードが台間カード処理機１０内になくても店舗内に存在することが分かっていれば、返却可能としても良い。具体的には、持玉数或いはプリペイド価値がある状態で台間カード処理機１０から排出されたが、未だ景品交換処理或いはプリペイド価値の精算処理が行われていなければ、返却操作を実行しても良い。或いは、分割元カードが景品管理装置６０又は精算機７０で読み取られた時に返却操作を行うようにしても良い。その場合は、景品管理装置６０又は精算機７０で返却を受けた旨を報知する。
【産業上の利用可能性】
【００９４】
以上のように、本発明に係る遊技システム及び分割有価価値返却処理方法は、分割された分割有価価値を円滑かつ効率的に返却する場合に適している。
【符号の説明】
【００９５】
１    カード
１０    台間カード処理機
１０ａ  Ｒ／Ｗ部
１０ｂ  通信Ｉ／Ｆ部
１０ｃ  記憶部
１０ｄ  持玉数
１０ｅ  制御部
１０ｆ  持玉管理部
１０ｇ  持玉分割処理部
１０ｈ  持玉返却処理部
１０ｉ  払出処理部
１１    状態表示部
１２    紙幣挿入部
１３    表示操作部
１４    ノズル
１５    カードユニット部
１５ａ  カード搬送部
１５ｂ  リーダライタ部
１５ｃ  アンテナ部
１５ｄ  収納部
１６    携帯読取部
１７    計数部
１８    持玉貯留部
１８ａ  持玉数表示部
２０    遊技機
２１    上皿
２１ａ  カード返却ボタン
２２    下皿
３０    島コントローラ
４０    カード管理装置
４０ａ  入力部
４０ｂ  表示部
４０ｃ  通信Ｉ／Ｆ部
４０ｄ  記憶部
４０ｅ  カード情報
４０ｆ  制御部
４０ｇ  カード情報管理部
４０ｈ  持玉返却制御部
５０    会員管理装置
６０    島端計数機
７０    精算機
８０    景品管理装置
９０    通信回線
【図１】
2012095866.tif 000003
【図２】
2012095866.tif 000004
【図３】
2012095866.tif 000005
【図４】
2012095866.tif 000006
【図５】
2012095866.tif 000007
【図６】
2012095866.tif 000008
【図７】
2012095866.tif 000009
【図８】
2012095866.tif 000010
【図９】
2012095866.tif 000011
【図１０】
2012095866.tif 000012
【図１１】
2012095866.tif 000013
【図１２】
2012095866.tif 000014
【図１３】
2012095866.tif 000015